(57)【特許請求の範囲】
【請求項１】
一般式Ｉ：
【化１】
0004131575.tif 000004
〔式中、Ｒ１〜Ｒ６は、水素原子、Ｃ１〜Ｃ４−アルコキシ基、Ｃ１〜Ｃ２−アルキルアミン基およびＣ２〜Ｃ４−ジアルキルアミン基を表わす〕
で示されるベンゾフェノンイミンを製造するための方法において、一般式II：
【化２】
0004131575.tif 000005
〔式中、Ｒ１〜Ｒ６は、上記の意味を有する〕で示されるベンゾフェノンを、液状アンモニアの中で、チタンの酸化物の存在下に８０〜１４０℃の温度および１２０〜２５０バールの圧力で反応させることを特徴とする、ベンゾフェノンイミンの製造法。
【請求項２】
Ｒ１〜Ｒ６が水素を表わす、請求項１に記載のベンゾフェノンイミンの製造法。
【請求項３】
１２０〜１４０℃の温度および１８０〜２２０バールの圧力で反応を実施する、請求項１に記載のベンゾフェノンイミンの製造法。
【発明の詳細な説明】
【０００１】
【発明の属する技術分野】
液状アンモニア中でベンゾフェノンからベンゾフェノンイミンを製造するための方法に関する。
【０００２】
【従来の技術】
溶融液中または溶液中のベンゾフェノンとガス状または液状のアンモニアとの直接反応の際には、塩化鉄（III）（特開昭６１−３０５６３号公報、収率：５７％）、有機酸、例えば安息香酸（米国特許第４１３０５８６号明細書：収率１８〜６５％）または塩化アンモニウム（Synthetic Communications  １８（１９９８８年）第１５０１〜１５１１頁；収率：９４％）が触媒として添加されなければならない。これらの方法の欠点は、部分的に低い収率、しかし就中、触媒の費用のかかる分離もしくは塩の不可避的な発生にある。
【０００３】
過酷な条件下に（４００℃）、ベンゾフェノンは、ガス相中で、酸化トリウム［日本化学会誌（１９７３年）第１３９２〜１３９６頁またはCompt.Rend.１６９（１９１９年）第２３７〜２３９頁］または酸化トリウム／酸化珪素［日本化学会誌（１９７４年）第２２１６〜２２１８頁］に不均一接触反応させることにより変換させることができる。これらの方法の欠点は、費用のかかる技術（高い温度、高度な真空）および分解生成物の高い割合である。
【０００４】
液相中のベンゾフェノンとガス状アンモニアとのイオン交換による不均一接触反応した変換は、Chemistry Letters（１９７６年）第２０５〜２０６頁の記載から公知である。しかしながら、収率は、不十分な程に低く１０％である。
【０００５】
米国特許第４０８３８６９号明細書の記載から、液相中、有利に有機溶剤中のベンゾフェノンが、第１族の１１〜第Ｖ族の第２〜第５周期の金属の酸化物、例えば酸化チタンまたは酸化アルミニウムにより、１５０〜２５０℃の温度および１〜５０バールの圧力で、ガス状もしくは臨界を超えたアンモニアを用いて変換されるベンゾフェノンイミンの製造法は、公知である。しかしながら、最大６０％の収率は、不十分である。
【０００６】
【発明が解決しようとする課題】
従って、本発明には、前記の欠点を除去するという課題が課された。
【０００７】
【課題を解決するための手段】
一般式II：
【０００８】
【化３】
0004131575.tif 000002
【０００９】
〔式中、Ｒ1〜Ｒ6は、上記の意味を有する〕で示されるベンゾフェノンを、液状アンモニアの中で、硼素、アルミニウム、ガリウム、インジウム、珪素、ゲルマニウム、錫、鉛、燐、砒素、アンチモン、ビスマス、スカンジウム、イットリウム、チタン、ジルコン、バナジウム、ニオブ、タンタルの酸化物またはこれらの混合物の存在下に５０〜１５０℃の温度および５０〜３５０バールの圧力で反応させることによって特徴付けられる一般式Ｉ：
【００１０】
【化４】
0004131575.tif 000003
【００１１】
〔式中、Ｒ1〜Ｒ6は、水素原子、Ｃ1〜Ｃ4−アルコキシ基、Ｃ1〜Ｃ2−アルキルアミン基およびＣ2〜Ｃ4−ジアルキルアミン基を表わす〕
で示されるベンゾフェノンイミンの製造方法が見出された。
【００１２】
本発明による方法は、以下のようにして実施される：
この方法は、撹拌オートクレーブ中で非連続的にかまたは管反応器中で連続的に、有利に管反応器中で連続的に５０〜１５０℃、有利に８０〜１４０℃、特に有利に１２０〜１４０℃の温度および５０〜３５０バール、有利に１５０〜２５０バール、特に有利に１８０〜２２０バールの圧力で実施することができる。
【００１３】
触媒としては、元素の硼素、アルミニウム、ガリウム、インジウム、珪素、ゲルマニウム、錫、鉛、燐、砒素、アンチモン、ビスマス、スカンジウム、イットリウム、チタン、ジルコン、バナジウム、ニオブ、タンタルの酸化物または混合酸化物、有利に、元素の硼素、アルミニウム、ガリウム、珪素、錫、鉛、アンチモン、ビスマス、チタン、ジルコン、バナジウム、ニオブの酸化物または混合酸化物、特に有利に、元素のアルミニウム、珪素、チタン、ジルコン、バナジウム、の酸化物または混合酸化物、殊に酸化チタン該当する。
【００１４】
これらの触媒は、粉末の形（撹拌オートクレーブ）もしくはタブレットまたはストランドの形（管反応器）で使用することができる。
【００１５】
反応の間または反応後の反応水の分離は、不用である。
【００１６】
連続的工程の場合、通常、触媒１ｌ当たりおよび毎時、ベンゾフェノン０．１〜０．６ｋｇ、有利に０．２〜０．４ｋｇ／１時間の負荷が使用される。
【００１７】
ベンゾフェノンは、溶融液または溶液、有利に溶融液で使用することができる。
【００１８】
アンモニアは、液体の形で使用される。有利にベンゾフェノン１ｋｇ当たりアンモニア１〜１０ｋｇ、特に有利に３〜６ｋｇ／ｋｇが使用される。
【００１９】
ベンゾフェノンイミンは、光保護剤（例えば２−シアノ−３，３−ジフェニルアクリル酸−エチルエステル）の製造の前生成物として使用される［Bull.Chem.Soc.Fr.（１９６３年）第１５７６〜１５８３頁］。
【００２０】
化合物ＩおよびIIの場合の置換基Ｒ1〜Ｒ6は、以下の意味を有する：
Ｒ1、Ｒ2、Ｒ3、Ｒ4、Ｒ5、Ｒ6は、互いに独立に、
−  水素原子、
−  Ｃ1〜Ｃ4−アルコキシ基、例えばメトキシ基、エトキシ基、ｎ−プロポキシ基、ｎ−ブトキシ基、イソブトキシ基、第二ブトキシ基および第三ブトキシ基、有利にメトキシ基、エトキシ基、ｎ−プロポキシ基およびｎ−ブトキシ基、特に有利にメトキシ基およびエトキシ基、
−  Ｃ1〜Ｃ2−アルキルアミン基、メチルアミン基およびエチルアミン基、有利にメチルアミン基、
−  Ｃ2〜Ｃ4−ジアルキルアミン基、例えばジメチルアミン基およびジエチルアミン基、有利にジメチルアミン基である。
【００２１】
Ｒ1〜Ｒ6が水素原子を表わす化合物は、特に有利である。
【００２２】
【実施例】
例  １
２５０ｍｌの撹拌オートクレーブ中で、アンモニア１２５ｍｌ中のベンゾフェノン１５ｇを、酸化チタン粉末２ｇと一緒に２００バールおよび１３０℃で５時間撹拌した。アンモニアの留去および触媒の分離後に、二相の抽出物をジメチルホルムアミドを用いて均一にし、かつＧＣを用いて試験した：
変換率：９５％
選択性：９９％
例  ２
酸化チタン（３ｍｍのストランド）３００ｍｌで充填された管反応器に、ベンゾフェノン１８０ｇ／時およびアンモニア７２０ｇ／時を２００バールおよび１３０℃で導通させた。アンモニアの留去後に、二相の抽出物をジメチルホルムアミドを用いて均一にし、かつＧＣを用いて試験した：
変換率：９５％
選択性：９９％
例  ３
酸化チタン（３ｍｍのストランド）３００ｍｌで充填された管反応器に、ベンゾフェノン６０ｇ／時およびアンモニア７２０ｇ／時を２００バールおよび１３０℃で導通させた。アンモニアの留去後に、二相の抽出物をジメチルホルムアミドを用いて均一にし、かつＧＣを用いて試験した：
変換率：９８％
選択性：９９％
例  ４
酸化チタン（３ｍｍのストランド）６０ｍｌで充填された管反応器に、１時間で２５％のメタノール系ベンゾフェノン溶液２４ｇおよびアンモニア３６ｇを、１２０バールおよび１３０℃で導通させた。アンモニアの留去後に、抽出物をＧＣを用いて試験した：
変換率：９１％
選択性：９９％